(57)【特許請求の範囲】
【請求項１】
壁掛けタイプの空気調和機の室内機と並設される、壁掛けタイプの加湿ユニットであって、
室内空気の吸込口および吹出し口が設けられるとともに、外気の給気ダクトおよび排気ダクトが突設され、取入れた外気に含まれる湿分を吸収して室内空気に放出する無給水加湿機能を有するユニット本体を具備し、
上記給気ダクトと上記排気ダクトを互いに異径として、給気ダクトの断面積よりも排気ダクトの断面積を大に設定し、
上記給気ダクトと上記排気ダクトに、給気ダクトと排気ダクトがそれぞれ別個に連通する２つの流通路を備えた空気搬送部材を接続してなり、
室内と屋外との仕切りをなす外壁に貫通して、断面円形状の処理用孔部を設け、
上記空気搬送部材は、上記処理用孔部のほぼ半分の面積を占める断面半円状もしくは断面三日月状に形成されて、処理用孔部に嵌め込まれ、
空気搬送部材が挿通した上記処理用孔部の残りのスペースに、上記室内機に接続される冷媒配管等を挿通する
ことを特徴とする加湿ユニット。
【発明の詳細な説明】
【０００１】
【発明の属する技術分野】
本発明は、空気調和機本体と併用するのに最適な無給水加湿機能を備えた加湿ユニットに関する。
【０００２】
【従来の技術】
エアコンである空気調和機は冷房機能と暖房機能のほかに、送風機能と除湿機能を備えているものがほとんど大部分である。しかるに、特に冬季などは低湿度になって乾燥度合いが極めて大となるが、暖房運転では加湿作用をなすことはできない。
【０００３】
そのため、専用の加湿器が製作販売されていて、これは小型で卓上タイプである。これに対して、空気調和機本体は冷凍サイクル構成部品と補助部品を備えるところから大型であり、室内機は被空調室の壁面に取付ける壁掛けタイプのものが多用される。
【０００４】
空気調和機本体と加湿器の両方を備えると、必要な配置スペースが大となってしまい、特に加湿器は適宜間隔で水を補給しなければならず手間がかかり、空気調和機本体もまた別個に保守しなければならない。
【０００５】
したがって、空気調和機に加湿機能を持たせることの要望が大であり、実際に製品として提供されている。たとえば、加湿器を空気調和機の室内機内部に収容して一体化したり、あるいは室外機内部に収容して一体化してなる。
【０００６】
【発明が解決しようとする課題】
特に、加湿器を室内機に収容した空気調和機では、壁に貫通して設けられる配管挿通用孔部に、加湿器に接続する給気ダクトと排気ダクトを挿通する構成が採用されている。
【０００７】
そのため、加湿器に備えられる送風機の通風抵抗が増加して風量の低下があるとともに、運転騒音の増大がある。これらの不具合を解消すべく、給気ダクトと排気ダクトのいずれか一方だけを備えて、たとえば暖房期における無給水加湿機能を得るようにしている。
【０００８】
しかしながら、室内から外部へ排気するタイプでは、暖房時に暖かい空気を室外へ排出することとなり省エネ効果が得られないし、室内の気密度により加湿性能が変化するという欠点がある。
【０００９】
また、外部から室内へ加湿空気を導入するタイプでは、加湿空気を搬送するダクト内面が結露するため加湿性能を確保し難いし、雑菌が混入して不衛生になり易く、ユーザ側のメンテナンスに手間がかかって面倒である。
【００１０】
本発明は上記事情に着目してなされたものであり、その目的とするところは、暖房時に作用しても暖房効果を損なうことなく加湿性能が得られるとともに、室内の気密度に左右されることなく加湿でき、しかもメンテナンス性が良好な加湿ユニットを提供しようとするものである。
【００１１】
【課題を解決するための手段】
上記目的を満足するため本発明の加湿ユニットは、壁掛けタイプの空気調和機の室内機と並設される、壁掛けタイプの加湿ユニットであって、室内空気の吸込口および吹出し口が設けられるとともに、外気の給気ダクトおよび排気ダクトが突設され、取入れた外気に含まれる湿分を吸収して室内空気に放出する無給水加湿機能を有するユニット本体を具備し、上記給気ダクトと上記排気ダクトを互いに異径として、給気ダクトの断面積よりも排気ダクトの断面積を大に設定し、給気ダクトと排気ダクトに、給気ダクトと排気ダクトがそれぞれ別個に連通する２つの流通路を備えた空気搬送部材を接続してなり、室内と屋外との仕切りをなす外壁に貫通して断面円形状の処理用孔部を設け、空気搬送部材は処理用孔部のほぼ半分の面積を占める断面半円状もしくは断面三日月状に形成されて処理用孔部に嵌め込まれ、空気搬送部材が挿通した処理用孔部の残りのスペースに室内機に接続される冷媒配管等を挿通することを特徴とする。
【００３４】
このような課題を解決する手段を採用することにより、暖房時に作用しても暖房効果を損なうことなく加湿性能が得られるとともに、室内の気密度に左右されることなく加湿でき、しかもメンテナンス性が良好である。
【００３５】
【発明の実施の形態】
以下、図面を参照して本発明の実施の形態について説明する。
【００３６】
図１は、空気調和機本体である室内機Ａと、この室内機と並設される加湿ユニットＫを示している。上記室内機Ａは、被空調室の壁面に据付けられる、いわゆる壁掛けタイプであり、上記加湿ユニットＫも壁面に取付けられる壁掛けタイプをなす。
【００３７】
加湿ユニットＫの側面視形状寸法は、室内機Ａの側面視形状寸法と同一に設計されていて、配色を含めた外観デザインは室内機Ａと全く同様である。図では室内機Ａと加湿ユニットＫとの間に隙間が形成されているが、実際には互いに密接してよく、したがって、一見すると、幅方向寸法を延長化した室内機Ａのように見える。
【００３８】
図２に、加湿ユニットＫのみを示す。
図中１はユニット本体であり、このユニット本体の前面部で、その下部側に吹出し口２が開口される。上記吹出し口２の内側（奥側）に対向して、同一面積で多数の小孔が設けられた吹出しカバー３が設けられる。また、上面部には複数の桟が並行して嵌め込まれる吸込口４が設けられる。
【００３９】
さらに、ユニット本体１の一側部で、下部側から一対のダクト５，６が突出され、この先端は壁面に向かってほぼ直角に折曲形成される。ここでは上部のダクトは排気ダクト５として設定され、下部のダクトは給気ダクト６として設定されていて、互いに上下に並行して延出される。
【００４０】
上記給気ダクト６と排気ダクト５は、互いに断面円形をなし、かつ異径であることが特徴の一つである。具体的には、給気ダクト６の直径よりも排気ダクト５の直径を大に設定してあり、給気ダクト６の断面積よりも排気ダクト５の断面積が大となっている。
【００４１】
このような条件設定は、図３から説明できる。
同図は、後述する無給水加湿機能を備えた加湿ユニットとしての据付け条件や、ユニット本体の大きさ（容積）などが制約限定された領域において、給気ダクトと排気ダクトを備えた場合の、圧力（Ｐｓ）に対する流量（Ｑ）の特性図である。
【００４２】
図から明らかなように、給，排気ダクトを同径としたときの圧力―流量のピークよりも給，排気ダクトを異径としたときの圧力―流量のピークを大きくとることができる。
【００４３】
したがって、決まった容積の中ではダクト直径を同じにするよりも、本発明のように排気ダクト５の直径を給気ダクト６の直径よりも大としたことにより風量の増加を得られ、ここに備えられる送風機の回転数を低減できて、騒音レベルの低下を得られる。
【００４４】
一方、特に、上記給気ダクト６のみ全周面に亘って断熱材ａが巻装され、断熱構造となっている。すなわち、無給水加湿運転は冬場の暖房時に行われるが、外部の冷たい空気を給気ダクト６に導いたとき、そのままでは給気ダクト周面に結露が発生する。そこで、給気ダクト６の全周面に亘って断熱構造とすることにより、結露の発生を確実に阻止できる。
【００４５】
図４は、上述した給，排気ダクト６，５の先端部を、後述する空気搬送部材であるところのスリーブ７に接続する状態を示している。
上記スリーブ７は、室内と屋外との仕切りをなす外壁Ｗに貫通して設けられる処理用孔部８の一部に嵌め込まれている。その一端部は室内に臨ませられ、図示しない他端部は外部に臨ませられている。
【００４６】
上記処理用孔部８は断面円形状をなすが、上記スリーブ７はこの処理用孔部のほぼ半分の面積を占める断面半円状に形成される。スリーブ７内部は仕切り部ｂによって２分されていて、一方の仕切り空間は他方の仕切り空間よりも大に形成される。ここでは図の上部側断面が下部側断面よりも大であり、それぞれ流通路７ａ，７ｂをなす。
【００４７】
上記給，排気ダクト６，５の先端部と、スリーブ７に形成される流通路７ａ，７ｂの断面形状が互いに合致するよう形成され、互いに接続可能である。組立てられた状態で、排気ダクト５がスリーブ７の上部側流通路７ａに連通し、給気ダクト６が下部側流通路７ｂに連通する。
【００４８】
このスリーブ７が挿通した処理用孔部８の残りのスペースには、上記室内機Ａに接続され図示しない室外機に延出される冷媒配管やケーブル類およびドレンホース（以下、冷媒配管等と呼ぶ）の挿通用スペースとして確保される。
【００４９】
なお、室内機Ａに接続される冷媒配管等と加湿ユニットＫの給，排気ダクト６，５を壁貫通孔に挿通する構成であって、従来のように、スリーブ７を不要とすることが考えられる。
【００５０】
この場合、上記室内機Ａは壁掛けタイプであるので、冷媒配管等は室内機側面から突出したあと、壁貫通孔前で直角に折曲されてから挿通する。冷媒配管等は無理に折り曲げられることで反発力が作用し、元の直状に弾性的に復帰しようとする。そして、冷媒配管等は壁貫通孔内で給，排気ダクトに接触して圧潰させることとなり、結果としてダクトの圧力損失が大となる。
【００５１】
しかるに、上述のような構成では外壁Ｗに貫通する処理用孔部８を設け、このほぼ半分の面積のスリーブ７を嵌め込んで冷媒配管等の弾性反発力をスリーブで受けるようにする。
【００５２】
上記スリーブ７には冷媒配管等の弾性反発力を受けても全く変形しない剛性を有していて、圧潰することがない。スリーブ７内の流通路７ｂ，７ａ面積は完全に確保され、ここと連通する給，排気ダクト６，５の流通抵抗等に悪影響を及ぼすことがなく、圧力損失がない。
【００５３】
図５は、変形例としてのスリーブ７Ａを示している。
断面円形の処理用孔部８を壁Ｗに貫通して設けること、ユニット本体１から給，排気ダクト６，５が延出されることは図４で説明したものと変りがない。これら給，排気ダクト６，５端部は、断面三日月状に形成されるスリーブ７Ａに接続されることが特徴である。
【００５４】
この断面三日月状に形成されるスリーブ７Ａは、仕切り部ｂによって断面が２分され、仕切り空間である流通路７ａ，７ｂはそれぞれの三日月状を分断した形状となる。
【００５５】
当然、上記給，排気ダクト６，５の先端部はスリーブ７Ａの流通路７ｂ，７ａと合致する寸法形状となっていて、互いに嵌め込まれる。処理用孔部８のスリーブ７Ａが挿通される残りの空間には室内機Ａから延出される冷媒配管等が挿通するが、スリーブ７Ａを断面三日月状としたので、図４で説明したスリーブ７よりも冷媒配管等の挿通スペースを大きく確保できる。
【００５６】
図６は、一体成形品である給気ダクト６Ａと、排気ダクト５Ａを示す。
すなわち、給，排気ダクト６Ａ，５Ａをブロー成形で処理用孔部８に嵌め込まれるスリーブ７まで一体成形することにより、ダクト６Ａ，５Ａからスリーブ７に至る断面形状変化をより円滑になし、給，排気ダクト６Ａ，５Ａにおける圧力損失の低減を得られる。
【００５７】
図７は、給，排気各流通路７ｂ，７ａ断面を扇状に形成したスリーブ７Ｓを示している。
すなわち、給，排気流通路７ｂ，７ａを形成するためスリーブ７Ｓ断面は仕切り部ｂによって２分されている。ここでも、図の上部側である排気流通路７ｂ断面が下部側である給気流通路７ａ断面よりも大であり、これら流通路の断面形状と給，排気ダクト６，５の先端部とが互いに合致するよう形成され、互いに嵌め込まれる。
【００５８】
そして、スリーブ７Ｓの給気ダクト６接続部側の流通路７ｂ断面積と、排気ダクト５接続部側の流通路７ａ断面積との比を、１：１．１２〜１．３に設定したことを特徴としている。
【００５９】
これは、流通路の比率が異なる各種のスリーブを製作し、実際に送風機負荷を計測した結果から導かれた数値であって、送風騒音が最も低く、低騒音化が得られた。
【００６０】
図８は、カバー部９を一体に備えたスリーブ７Ｋを示す。
上記カバー部９は断面半円状をなし、この一側縁がスリーブ７Ｋの端縁に長手方向に沿って一体に連結される。カバー部９の曲率は、スリーブ７Ｋの曲率と同一に形成される。
【００６１】
上記スリーブ７Ｋの外面側に沿って室内機から延出される冷媒配管等を挿通させたあと、カバー部９を図中矢印のように回動して冷媒配管等を覆う。このカバー部９の自由端縁をスリーブ７Ｋの端縁に合わせた状態で、全体の断面が円形状になる。
【００６２】
しかも、スリーブ７Ｋとカバー部９とで形成される直径は、壁Ｗに設けられる断面円形の処理用孔部８の直径にほぼ等しくなるよう設定されている。これによって、スリーブ７Ｋと冷媒配管等の処理用孔部８への挿通作業が容易になる。
【００６３】
また、実際には、外壁Ｗに設けられる処理用孔部８に壁用スリーブが予め嵌め込まれていて、ここにカバー部９を一体に設けたスリーブ７Ｋが嵌め込まれる。上記壁用スリーブは直径が６０ｍｍに形成されていて、したがって、カバー部９とスリーブ７Ｋを合わせた状態での直径を６０ｍｍ以下に設定してある。
【００６４】
なお、上述したスリーブ７は、全て合成樹脂材にて押し出し成形ができるよう、全断面を形成する外郭と仕切り部の肉厚を同一に設定するとよい。そのため、スリーブの全長を任意にできる利点がある。
【００６５】
いずれにしても、給，排気流通路７ｂ，７ａを有するスリーブ７であることにより、室内機から延出される冷媒配管等とともに給，排気ダクト６，５を外壁に貫通させる手間を不要化し、かつ冷媒配管等の折り曲げにともなう反発力でダクトの圧潰を防止することができ、しかも２本のダクトを孔部に貫通させた場合よりも大きな流路面積を確保して給，排気性能を高く保持する。
【００６６】
図９は、上記スリーブ７に接続される接続口体１０を示す。
この接続口体１０は、給気接続口体１０ｂと、排気接続口体１０ａとに分割されていて、上記スリーブ７と給，排気ダクト６，５との間に介在し、スリーブの給排気流通路７ｂ，７ａと給，排気ダクト６，５互いを連通する。
【００６７】
同図（Ａ）に示すように、接続口体１０の給気接続口体１０ｂは、スリーブ７の給気側流通路７ｂと給気ダクト６の形状に合致し、かつ排気接続口体１０ａは、スリーブ７の排気側流通路７ａと排気ダクト５の形状に合致する。
【００６８】
加湿ユニットＫは室内機Ａとの配置条件に応じて変更され、それに応じてスリーブ７の向きは変更されることがある。ところで、スリーブ７の各流通路７ａ，７ｂ断面を不等とし、それぞれ断面扇状に形成した。
【００６９】
したがって、同図（Ｂ）に示すように、スリーブ７が左右に配置変更しても、接続口体１０と接続するスリーブ７端部形状が共有され、それぞれ専用のスリーブを備えることがなく部品数の増加を抑制できる。
【００７０】
このように上記接続口体１０は、給，排気ダクト６，５およびスリーブ７とは、互いに別体に構成されていて、給，排気ダクト６，５とスリーブ７との結合作業の簡素化と、結合性の向上を得られる。
【００７１】
図１０は、接続口体１０Ａをスリーブ７Ｚの端部に一体形成した例である。
上記接続口体１０Ａは、上部側が排気連通部１１ｂで、下部側が給気連通部１１ａである。上記排気連通部１１ｂは排気ダクト５と連結されるため、排気ダクトと同一の形状寸法をなし、給気連通部１１ａは給気ダクト６と連結されるため、給気ダクトと同一の形状寸法をなしている。
【００７２】
このように、スリーブ７Ｚの端部に接続口体１０Ａを一体形成し、これを上記給，排気ダクト６，５に接続するところから、給，排気ダクトに対するスリーブ７Ｚの結合作業の簡素化と、結合性の向上を得られる。
【００７３】
また、給，排気ダクト６，５の先端に上記接続口体１０を一体形成したものであって、これをスリーブ７の各流通路７ｂ，７ａに接続するようにしてもよく、この場合も給，排気ダクト６，５のスリーブ７に対する結合作業の簡素化と、結合性の向上を得られる。
【００７４】
なお、同図に示す接続口体１０Ａは給，排気ダクトに接続する円筒状端部からからスリーブ７Ｚと一体化される扇状段部に亘って、それぞれテーパ部１２ａ，１２ｂが形成されている。
【００７５】
すなわち、接続口体１０Ａとして、給，排気ダクト６，５との接続部であるので大小直径の異なる円筒体を備え、これらの間は閉塞される。他端部はスリーブ７Ｚの互いに隣接する扇状の連通路に連通するため、同一の形状寸法に形成される。
【００７６】
したがって、接続口体１０Ａの中間部に大きな段差が形成されることになり、そのままでは空気の流れが段差に衝突して抵抗となり、圧損が著しい。対策として、上述のようなテーパ部１２ａ，１２ｂを形成することで、内部を流通する空気の流れが円滑となり、圧損の低減を得られる。
【００７７】
また、先に説明した図７ないし図１０では，全て断面半円状のスリーブであって、仕切り部で仕切られることにより扇状の流通路を形成するようにしたが，これに限定されるものではなく，図５で説明した断面三日月状のスリーブ７Ａに適用してもよい。
【００７８】
図１１は、以上説明した実施の形態にもとづいて、室内機Ａと加湿ユニットＫにおける配管・ダクト処理を模式的に示す。
すなわち、上記給，排気ダクト６，５は互いに直径の異なる断面円形状をなし、かつ所定間隔を存して並行である。一方、スリーブ７は室内機の冷媒配管等１３とともに外壁を貫通するので、先に説明したように半円状もしくは三日月状に形成される。外壁に設けられる断面円形の処理用孔部８には、同一形状の壁用スリーブ１４が嵌め込まれ、ここにスリーブ７と冷媒配管等１３が挿通される。
【００７９】
図１２は、加湿ユニットＫにおける加湿機能から換気機能への切換えを説明するエアー回路を概略的に示している。
第１のダンパ機構１５と第２のダンパ機構１６によって、加湿機能と換気機能との切換えが可能となっている。実際には、これら第１，第２のダンパ機構１５，１６は互いに連結され、同一の駆動源をもって互いに連動する。
【００８０】
上記第１のダンパ機構１５は、給気ダクト６と対向して設けられ、調湿素子１７に対する外気導入側に位置し、ユニット本体１内への外気導入を開閉する。上記調湿素子１７は、通過する空気から湿分のみを吸収保持し、加熱されることにより保持した湿分を放出する特性を備えている。
【００８１】
上記第２のダンパ機構１６は、ユニット本体１内における室内空気吸込み部に対向して設けられていて、このダンパ機構が設けられる部位と処理側送風機１８の吸込み部との間には、調湿素子１７をバイパスして室内空気を直接処理側送風機１８に案内するバイパス回路１９が形成される。
【００８２】
通常の加湿機能をなす場合は、第１のダンパ機構１５は給気ダクト６を開放し、第２のダンパ機構１６は室内空気の吸込み部を閉成してバイパス回路１９を閉成する。
【００８３】
したがって、外部空気がスリーブ７の給気流通路７ｂから接続口体１０を介して給気ダクト６に導かれ、ユニット本体１内において調湿素子１７を通過する。このとき、外気に含まれる湿分が調湿素子１７に吸収され、通過した外気は処理側送風機１８を介して排気ダクト５から接続口体１０とスリーブ７の排気流通路７ａに沿って導かれ、外部に排出される。
【００８４】
一方、再生用送風機２１が駆動され、室内空気がユニット本体１の吸込口４から導入されて調湿素子１７の一部を通過する。このとき、加熱ヒータ２０は調湿素子１７を加熱し、外気から吸収した湿分を蒸発させる。
【００８５】
ユニット本体１内に導入された室内空気に蒸発した湿分が混合し、再生用送風機２１と吹出し口２を介して室内に吹出される。結局、吹出される室内空気の湿度が吸込まれる際よりも高くなり、室内の加湿をなす。
【００８６】
必要に応じて換気モードを指示すると、処理側送風機１８のみ駆動を継続し、再生側送風機２１は停止する。加熱ヒータ２０の発熱はなく、調湿素子１７の回転は停止する。
【００８７】
第１のダンパ機構１５は給気ダクト６を閉成して外気の取入れを阻止し、第２のダンパ機構１６はバイパス回路１９を開放して図に破線で示すように、室内吸込み部と処理側送風機１８とを直接連通する。
【００８８】
室内空気が吸込口４からユニット本体１内に導入されるが、調湿素子１７には導かれずに迂回して、バイパス回路１９に切換え案内される。室内空気はバイパス回路１９を介して処理側送風機１８に導かれ、さらに排気ダクト５と接続口体１０を介してスリーブ７の排気流通路７ａから外部へ排出される。
【００８９】
図１３以下は、外壁Ｗを貫通して外面側へ突出するスリーブ７端部と、冷媒配管等１３の処理構成を示す。
図１３（Ａ）に示すように、処理構成部品として、防虫・防水カバー３０と、カバー固定具４０および配管用カバー５０からなる。図１３（Ｂ）は、カバー固定具４０に防虫・防水カバー３０を取付けた状態を拡大して示す。
【００９０】
上記防虫・防水カバー３０の前後両面には、上記スリーブ７と同様、断面が半円状であって、扇状の給気流通路７ｂと排気流通路７ａに合致するよう仕切られる接続用突部３１ａ，３１ｂが設けられる。
【００９１】
一方の接続用突部３１ａは上記スリーブ７端部に接続され、他方の接続用突部３１ｂはカバー固定具４０に設けられる同一形状で端面が閉塞する突部４１で閉塞される。
【００９２】
防虫・防水カバー３０のカバー固定具４０と密接する一側面は閉塞され、もしくは開口しており、かつ上面と下面は斜め下方に傾斜したうえで閉塞される。カバー固定具密接面と対向する側面は、斜めに突出し開口している。
【００９３】
内部は、図１４のみに示す仕切り板３２によって仕切られていて、上記スリーブ７に接続した状態でスリーブの給，排気流通路７ｂ，７ａが防虫・防水カバー３０側面の開口に連通する。
【００９４】
先に説明したように、ユニット本体１から突出する給，排気ダクト６，５では、排気ダクト５が上部側で、給気ダクト６が下部側にあって、スリーブ７の給，排気流通路７ｂ，７ａも同様の位置と面積比にある。したがって、防虫・防水カバー３０は、その傾斜側面部において上部側が排気口３３ａとなり、下部側が給気口３３ｂとなるよう仕切り板３２で仕切られる。
【００９５】
そのうえ、傾斜側面部の突出長さが上下で異なっていて、上部の排気口３３ａ側が長く、下部の給気口３３ｂ側が短い段差を備える。このような給気口３３ｂよりも排気口３３ａが長く突出する段差なので、排気口３３ａから出た排出空気を給気口３３ｂから吸込む、いわゆるショートサーキットを防止できる。
【００９６】
給，排気口３３ｂ，３３ａそれぞれは、非常に細かい目のネットによって覆われている。したがって、給，排気口３３ｂ，３３ａからカバー４０内部への虫や小動物等の侵入を阻止できる。
【００９７】
さらに、給気口３３ｂと排気口３３ａともに、斜め下方に傾斜しているところから、たとえ雨水等がネットを介して内部に浸入したとしても、傾斜に沿って直ちに開口面に戻り、かつ落下する。
【００９８】
上記カバー固定具４０は矩形状の枠体であって、その一側面から上記突部４１が突出する。枠体周縁にフランジ部４２が形成され外壁Ｗに取付けられる。図の手前側には、室内機Ａから延出される冷媒配管等１３を挿通するための挿通用孔部４３が開口され、この周縁に沿ってもフランジ部４４が設けられる。
【００９９】
上記配管用カバー５０は、カバー固定具４０の挿通用孔部４３周縁に形成されるフランジ部４４に嵌め込まれ、接続される。配管用カバー５０は二つの分割カバー５０ａ，５０ｂに分割されていて、カバー固定具４０との接続部は水平であるが、これより垂直方向に折曲形成される。
【０１００】
すなわち、カバー固定具４０を外壁Ｗに取付け、下部側の分割カバー５０ａのみカバー固定具４０に取付けた状態で、室内機Ａから延出される冷媒配管等１３をカバー固定具４０の挿通用孔部４３に挿通する。
【０１０１】
冷媒配管等１３は、この挿通用孔部４３を出たところで折曲され、既に取付けられる分割カバー５０ａに沿わせられる。そのあと、残りの分割カバー５０ｂを取付けることにより、冷媒配管等１３の処理がなされる。
【０１０２】
図１４（Ａ）（Ｂ）は、室内機Ａと加湿ユニットＫとの配置条件に応じてスリーブ７の取付けを左右に変えた場合の、防虫・防水カバー３０とカバー固定具４０との取付け状態を示している。
防虫・防水カバー３０の前後両面に接続用突部３１ａ，３１ｂを突設したことにより、スリーブ７の取付けに応じてこの端部に接続用突部３１ａもしくは３１ｂを対応させればよい。
【０１０３】
このようにして、上記防虫・防水カバー３０は、前後の向きを反転させることで、上記カバー固定具４０の左右どちらの側面にも取付け可能な構造となっている。また、上記防虫・防水カバー３０は、上記カバー固定具４０を１８０度反転することで、左右どちら側でも配置可能な構造である。
【０１０４】
すなわち、上述の構成を採用することにより、室内機Ａと加湿ユニットＫとの配置条件にもとづいてスリーブ７を左右に取付け変更しても確実に対応でき、配置条件専用の別部品を備える必要がなく、したがって部品点数の増大を阻止することとなる。
【０１０５】
図１５は、変形例の防虫・防水カバー３０Ａを概略的に示している。
この場合は、上記スリーブ７の給，排気流通部７ｂ，７ａそれぞれに連通する給気口３３ｂと、排気口３３ａが左右に分かれて設けられている。外部空気は、図の左側の給気口３３ｂから導入され、右側の排気口３３ａから排出される。
【０１０６】
このように給気口３３ｂと排気口３３ａを左右方向に向けることにより、互いに干渉することがなく、ショートサーキットの発生を完全に阻止し、性能の向上に寄与することとなる。
【０１０７】
図１６は、配管カバー５０で図示しない冷媒配管等をカバーした処理状態を示している。ここでの防虫・防水カバー３０は、先に図１３および図１４で示した、給，排気口３３ｂ，３３ａが並行に延出されるものを適用しているが、当然、図１５に示す防虫・防水カバー３０Ａであっても支障がない。
【０１０８】
上記カバー固定具４０の接続用フランジ部４４は円形をなし、二分割された配管用カバー５０が上記接続用フランジ部に嵌めこまれた状態で、この嵌合部分が円形になる。
【０１０９】
したがって、たとえば室外機Ａと加湿ユニットＫの配置条件に応じて、冷媒配管等１３の引出し方向が必ずしも垂直方向でなくてもよく、左右斜め方向に引出す場合でも配管用カバー５０とカバー固定具４０の接続部が円形であるので、図に矢印で示すように自由に対応でき、配管処理が容易である。
【０１１０】
図１７に示すように、配管用カバー５０の引き回し方向が、条件によっては防虫・防水カバー３０の給，排気口３３ｂ，３３ａと同一方向に向くことがある。このような場合でも、給，排気口３３ｂ，３３ａは配管用カバー５０によって塞がれることがなく、配管の引き回し方向によらず性能悪化がない。
【０１１１】
なお、特に図示していないが、室内機Ａに接続されるドレンホースを冷媒配管とともにまとめて延出することに限定されない。上記ドレンホースのみを上記防虫・防水カバー３０の給，排気口３３ｂ，３３ａのいずれかに挿通するようにしてもよい。
【０１１２】
すなわち、ドレンホースの直径は防虫・防水カバー３０の給，排気口３３ｂ，３３ａ面積よりも小さく、かつホースであるから柔軟性に富むので、上述の構成が可能となる。そして、その分冷媒配管挿通用のスペースが小さくてすみ、壁に貫通する処理用孔部８の直径も小さくてすむ。
【０１１３】
【発明の効果】
以上説明したように本発明によれば、暖房時に作用しても暖房効果を損なうことなく加湿性能が得られるとともに、室内の気密度に左右されることなく加湿でき、しかもメンテナンス性が良好であるなどの効果を奏する。
【図面の簡単な説明】
【図１】本発明の実施の形態に係わる、空気調和機の室内機と並設される加湿ユニットの斜視図。
【図２】同実施の形態に係わる、加湿ユニットの外観図。
【図３】同実施の形態に係わる、給，排気ダクトにおける圧力と流量の特性図。
【図４】同実施の形態に係わる、給，排気ダクトとスリーブとの接続を説明する図。
【図５】同実施の形態に係わる、変形のスリーブの接続を説明する図。
【図６】同実施の形態に係わる、変形の給，排気ダクトを説明する図。
【図７】同実施の形態に係わる、スリーブの斜視図。
【図８】同実施の形態に係わる、カバー部を備えた変形のスリーブの斜視図。
【図９】同実施の形態に係わる、接続口体の斜視図と、スリーブの左右異なる取付け条件に応じた接続口体の正面図。
【図１０】同実施の形態に係わる、接続口体を一体に備えたスリーブの斜視図。
【図１１】同実施の形態に係わる、空気調和機室内機と加湿ユニットとの配管・ダクト処理を説明する図。
【図１２】同実施の形態に係わる、加湿ユニットのエアー回路構成と、その作用を説明する図。
【図１３】同実施の形態に係わる、壁外面側における配管・ダクト処理の構成部品を分解した斜視図と、その組立てられた一部の拡大斜視図。
【図１４】同実施の形態に係わる、スリーブの取付け条件に応じた壁外面側における配管・ダクト処理を説明する図。
【図１５】同実施の形態に係わる、変形の防虫・防水カバーの概略正面図。
【図１６】同実施の形態に係わる、壁外面側における配管・ダクト処理を説明する図。
【図１７】同実施の形態に係わる、壁外面側における配管・ダクト処理の異なる状態を説明する図。
【符号の説明】
４…吸込口、
２…吹出し口、
６…給気ダクト、
５…排気ダクト、
１…ユニット本体、
７…スリーブ（空気搬送部材）、
７ｂ…給気流通路、
７ａ…排気流通路、
９…カバー部、
１０…接続口体、
１１ａ…給気連通部、
１１ｂ…排気連通部、
１２ａ，１２ｂ…（送風圧損低減用）スペーサ、
３０…防虫・防水カバー、
３３ｂ…給気口、
３３ａ…排気口、
４４…接続用突部、
４０…カバー固定具、
４３…挿入用孔部、
５０…配管用カバー。
【図１】
0004593747.tif 000002
【図２】
0004593747.tif 000003
【図３】
0004593747.tif 000004
【図４】
0004593747.tif 000005
【図５】
0004593747.tif 000006
【図６】
0004593747.tif 000007
【図７】
0004593747.tif 000008
【図８】
0004593747.tif 000009
【図９】
0004593747.tif 000010
【図１０】
0004593747.tif 000011
【図１１】
0004593747.tif 000012
【図１２】
0004593747.tif 000013
【図１３】
0004593747.tif 000014
【図１４】
0004593747.tif 000015
【図１５】
0004593747.tif 000016
【図１６】
0004593747.tif 000017
【図１７】
0004593747.tif 000018